(57)【要約】【課題】  戸体を開閉する際におけるロック部材の振れを防止し、このロック部材を見付け幅の小さい縦框に強固に取り付け可能とする開口部装置を提供すること。【解決手段】  枠体にヒンジ連結された戸体の戸先にロック部材１１を備え、このロック部材１１は、箱錠２１と、この箱錠２１を操作する取っ手２３、２４を受ける一対の台座２５、２６とを備え、戸体の戸先側縦框５に、補強部材４５を取り付け、この補強部材４５及び戸先側縦框５を一対の台座２５、２６で挟みこんで固定したことを特徴とする。【選択図】      図２
2006257825.tif 000002
【特許請求の範囲】
【請求項１】
枠体にヒンジ連結された戸体の戸先にロック部材を備え、
このロック部材は、箱錠と、この箱錠を操作する取っ手を受ける一対の台座とを備え、
前記戸体の戸先側縦框に、補強部材を取り付け、この補強部材及び前記戸先側縦框を前記一対の台座で挟みこんで固定したことを特徴とする開口部装置。
【請求項２】
前記補強部材は前記戸先側縦框に挿入される挿入部を有し、この挿入部の見込み幅は、前記戸先側縦框内部の見込み幅と略同一としたことを特徴とする請求項１に記載の開口部装置。
【発明の詳細な説明】
【技術分野】
【０００１】
本発明は、枠体にヒンジ連結された戸体の戸先にロック部材を備える開口部装置に関する。
【背景技術】
【０００２】
一般に、枠体にヒンジ連結された戸体の戸先にロック部材を備える開口部装置が知られている（特許文献１参照）。この種の開口部装置では、ロック部材は箱錠を備え、この箱錠は戸体の戸先側縦框に収納されている。
【特許文献１】特開平１１−２１０２９１号公報
【発明の開示】
【発明が解決しようとする課題】
【０００３】
ところで、近年、意匠性に優れた戸体を備える開口部装置が要望されており、左右の縦框の見付け幅を小さくしたものが好まれる傾向にある。しかしながら、戸先側縦框の見付け幅を小さくした場合、上記ロック部材の箱錠がこの縦框を貫通し、当該縦框の内部に収納できなくなる。このため、このような見付け幅の小さい縦框にロック部材を取り付けた場合には、この取り付け部分の強度が不足するため、戸体を開閉する際にロック部材に荷重がかかると、この荷重方向にロック部材が振れるといった問題が考えられる。
【０００４】
そこで、本発明は、上記事情を考慮してなされたものであり、戸体を開閉する際におけるロック部材の振れを防止し、このロック部材を見付け幅の小さい縦框に強固に取り付け可能とする開口部装置を提供することを目的とする。
【課題を解決するための手段】
【０００５】
上述課題を解決するため、本発明は、枠体にヒンジ連結された戸体の戸先にロック部材を備え、このロック部材は、箱錠と、この箱錠を操作する取っ手を受ける一対の台座とを備え、戸体の戸先側縦框に補強部材を取り付け、この補強部材及び戸先側縦框を一対の台座で挟みこんで固定したことを特徴とする。
【０００６】
この構成によれば、補強部材によって、ロック部材が取り付けられる取り付け部の強度不足を解消できるため、見付け幅の小さな戸先側縦框であっても、ロック部材を強固に取り付けることができる。さらに、各台座が、戸先側縦框及び補強部材を一体的に狭持するため、戸体を開閉する際、ロック部材に、当該戸体の見込み方向に荷重がかかった場合であっても、ロック部材が見込み方向に振れることを防止できる。
【０００７】
この場合において、補強部材は戸先側縦框に挿入される挿入部を有し、この挿入部の見込み幅は、戸先側縦框内部の見込み幅と略同一とした構成としても良い。この構成によれば、補強部材に見込み方向に荷重がかかった場合でも、当該補強部材の挿入部の端部が縦框５の内壁に当接していることにより、補強部材が上記見込み方向に振れることが防止され、ひいてはロック部材が上記見込み方向に振れることを防止できる。
【発明の効果】
【０００８】
本発明では、戸体を開閉する際におけるロック部材の振れを防止し、見付け幅の小さい縦框にロック部材を強固に取り付けることができる。
【発明を実施するための最良の形態】
【０００９】
以下、添付図面を参照して本発明の一実施の形態について説明する。本実施形態にかかる開口部装置は、浴室の開口部に設けられるもの（例えば、浴室用ドア）であり、図１は、浴室用ドアを浴室内側から見た図である。この図１に示すように、浴室用ドア１００は、浴室の開口部に設けられた枠体１と、この枠体１にヒンジ連結されたドア体（戸体）２とを備える。枠体１は、上枠１ａと、下枠１ｂと、左右に配置された縦枠１ｃ、１ｄとを四方枠組みして構成されている。
【００１０】
ドア体２は、左右一対の縦框４、５と上框６と下框７とで四方枠組みされ、その内側に半透明の樹脂パネル８が配置されている。ドア体２は、浴室内と浴室外（例えば、脱衣室）とを連通する通気用ガラリ１０を備え、この通気用ガラリ１０は、吊元側の縦框４に沿って、上框６から下框７に渡って形成されている。また、ドア体２は、このドア体２を開閉操作するロック部材１１を備え、このロック部材１１は、戸先側の縦框５に設けられている。
【００１１】
ロック部材１１は、図２に示すように、戸先側の縦框５に挿入される箱錠２１と、この箱錠２１を貫通し、当該箱錠２１に収納されたラッチボルト２１Ａを作動させるラッチ作動軸２２と、このラッチ作動軸２２に連結される一対のレバーハンドル２３、２４と、これらレバーハンドル２３、２４を受ける一対の台座２５、２６とを備える。各レバーハンドル２３、２４は、略Ｌ字状に屈曲されて形成されており、その基端部２３Ａ、２４Ａにラッチ作動軸２２を挿入し、当該基端部２３Ａ、２４Ａの側方から、ねじ７０でねじ止めすることによって当該ラッチ作動軸２２に連結されている。
【００１２】
また、浴室内側の台座２５及び浴室外側の台座２６は、戸先側縦框５及びこの戸先側縦框５に取り付けられる補強部材４５（後述する）の側方に配置され、各台座２５、２６を、ねじ７１でねじ止めすることによって固定されている。本構成では、浴室内側の台座２５は、その裏面にボス７２を備え、このボス７２にねじ孔（不図示）が形成されている。このボス７２は、樹脂パネル８の厚みに相当する高さに設定されているため、ねじ７１を締めこんだ場合であっても、樹脂パネル８に過度の荷重がかかることが防止される。
【００１３】
戸先側の縦框５は、その見付け幅Ｌ１が箱錠２１の見付け幅Ｌ２よりも小さいものであり、本構成では、見付け幅の小さな縦框５にロック部材１１を取り付ける構造に特徴がある。
【００１４】
戸先側縦框５は、図３に示すように、中空の框部５ａと、この框部５ａに連なり、上記樹脂パネル８（図２）を保持する保持部５ｂとを備えて構成される。この保持部５ｂは、浴室内側及び外側に対向する框部５ａの各側面３１、３２を戸尻側に延出し、その端部をそれぞれ内側に屈曲されて形成され、浴室外側側面３２の先端にはビード２９（図２）が取り付けられている。
【００１５】
また、戸先側縦框５には、図４に示すように、箱錠２１が取り付けられる取り付け部４０が設けられ、この取り付け部４０は、箱錠２１を挿入するために、当該縦框５の前面３３、背面３４及び各側面３１、３２の一部を切り欠くことによって形成されている。この場合、この取り付け部４０の強度が不足するため、これを解消するために、上記取り付け部４０に補強部材４５を配置し、この補強部材４５と箱錠２１とを一緒に戸先側縦框５に取り付けている。
【００１６】
具体的には、箱錠２１は、ラッチボルト２１Ａが収納される箱錠本体２１Ｂと、この箱錠本体２１Ｂの前面に配置される前板２１Ｃとを備え、この前板２１Ｃには、ねじ５０が貫通する貫通孔２１Ｄが形成されている。一方、補強部材４５は、箱錠２１と取り付けた場合に、この箱錠２１の箱錠本体２１Ｂと干渉しないように、板材を略コ字状に折り曲げて形成され、その先端部４５Ａを外側に折り曲げるとともに、当該先端部４５Ａにねじ孔４６が形成されている。補強部材４５は、戸先側縦框５の背面３４側から取り付け部４０に挿入されるとともに、箱錠２１は、この戸先側縦框５の前面３３側から挿入される。そして、この戸先側縦框５の前面３３を、箱錠２１の前板２１Ｃと補強部材４５の先端部４５Ａとで挟み、この前板２１Ｃの貫通孔２１Ｄ、戸先側縦框５の前面３３に形成された貫通孔３３Ａ及び先端部４５Ａのねじ孔４６を、ねじ５０でねじ止めすることによって連結している。
【００１７】
また、補強部材４５は、図３に示すように、戸先側縦框５に挿入された挿入部４５Ｂ（補強部材４５の先端部４５Ａを含む）と、この挿入部４５Ｂよりも見込み幅が大きい突出部４５Ｃとを備える。本構成では、挿入部４５Ｂの見込み幅Ｄは、上記戸先側縦框５の内部の見込み幅Ｍと略同一に設定されている。このため、補強部材４５に戸先側縦框５の見込み方向（図中Ｘ方向）に荷重がかかった場合であっても、補強部材４５の挿入部４５Ｂの各端面５１、５２が戸先側縦框５の内壁３５、３６に当接しているため、補強部材４５が上記見込み方向（すなわち開閉する際の荷重方向）に振れるのを防止できる。このため、この補強部材４５に固定された箱錠２１、およびロック部材１１が開閉する際に、見込み方向に振れることを防止できる。
【００１８】
浴室内側の台座２５は、図５に示すように、略半円状に形成され、この台座２５上にレバーハンドル２３が配置されている。このレバーハンドル２３は、上述のように、ラッチ作動軸２２に連結されており、当該レバーハンドル２３の先端部２３Ｂを押し下げる方向（図中Ｙ方向）に約３０度回転させると、ラッチ作動軸２２が回転し、このラッチ作動軸２２の回転動作に連動して、箱錠２１内のラッチカム及びラッチカムバー（不図示）がラッチボルト２１Ａを箱錠２１内に引き込む。これにより、ラッチボルト２１Ａと縦枠１ｄに取り付けられた受け座７３（図２）との係合が解除される。
【００１９】
また、浴室内側の台座２５は、レバーハンドル２３の上部にサムターン６１が設けられている。このサムターン６１は、サムターン作動軸７４を介して、箱錠２１に連結されており、本構成では、当該サムターン６１が鉛直方向に位置する場合には、箱錠２１は解錠されている。このサムターン６１を例えば、時計方向に略９０度回転させて水平位置にすると、これに連動して上記サムターン作動軸７４が回転することにより、箱錠２１内で、レバーハンドル２３、２４に連結されるラッチ作動軸２２の動作をラッチボルト２１Ａに伝達しないように構成されている。このため、各レバーハンドル２３、２４を操作しても、ラッチボルト２１Ａを箱錠本体２１Ｂ内部に引き込めなくなり、浴室側からの施錠が可能となる。本構成では、樹脂パネル８は、取り付け部４０に相当する位置に切り欠き８Ａが形成されている。この切り欠き８Ａは、戸先側縦框５の取り付け部４０にロック部材１１を取り付けた場合に、当該切り欠き８Ａと箱錠２１及び補強部材４５との干渉を抑えるとともに、各台座２５，２６によって、この切り欠き８Ａが外部から見えないようになっている。
【００２０】
浴室外側の台座２６は、図６に示すように、略半円状に形成され、レバーハンドル２４の上部に非常時解錠部６２が設けられている。この非常時解錠部６２は、サムターン作動軸７４（図５）に連結されており、入浴中に非常事態が発生した場合であっても、この非常時解錠部６２を操作することにより、浴室外部からでも、施錠を解除することが可能に構成されている。
【００２１】
また、本構成では、浴室内側の台座２５及び浴室外側の台座２６は、図２に示すように、それぞれの裏面に、戸先側縦框５の側面３１、３２及び補強部材４５の突出部４５Ｃの各端面５３、５４を狭持する狭持部８１、８２が設けられている。浴室内側の台座２５の狭持部８１は、戸先側縦框５の側面３１に当接する第１当接面８１Ａと、突出部４５Ｃの各端面５３に当接する第２当接面８１Ｂとを備えて構成されている。また、浴室外側の台座２６の狭持部８２は、戸先側縦框５の側面３２に当接する第３当接面８２Ａと、突出部４５Ｃの各端面５４に当接する第４当接面８２Ｂとを備えて構成されている。これら各当接面８１Ａ、８１Ｂ、８２Ａ及び８２Ｂは、各台座２５、２６を戸先側縦框５の取り付け部４０に配置した場合に、当該戸先側縦框５及び補強部材４５に密接する形状に形成されている。
【００２２】
このため、各台座２５、２６を戸先側縦框５の取り付け部４０に配置し、ねじ７１を締めこんで当該台座２５、２６を連結した場合、これら各台座２５、２６の狭持部８１、８２が戸先側縦框５及び補強部材４５を一体的に狭持することにより、補強部材４５が上記見込み方向に振れることを防止している。
【００２３】
本実施形態では、ロック部材１１は、箱錠２１と、この箱錠２１を操作するレバーハンドル２３、２４を受ける一対の台座２５、２６とを備え、戸先側縦框５に補強部材４５を取り付け、この補強部材４５及び戸先側縦框５を一対の台座２５、２６で挟みこんで固定する構成としている。このため、補強部材４５によって、ロック部材１１が取り付けられる取り付け部４０の強度不足を解消できるため、見付け幅の小さな戸先側縦框５であっても、ロック部材１１を強固に取り付けることができる。さらに、各台座２５、２６が、戸先側縦框５及び補強部材４５を一体的に狭持するため、ドア体２を開閉する際、ロック部材１１に、当該ドア体２の見込み方向に荷重がかかった場合であっても、ロック部材１１が見込み方向に振れることを防止できる。
【００２４】
また、本実施形態では、補強部材４５の挿入部４５Ｂの見込み幅Ｄを戸先側縦框５の内部の見込み幅Ｍと略同一にしているため、この補強部材４５に見込み方向に荷重がかかった場合でも、当該補強部材４５の挿入部４５Ｂの端部５１、５２が縦框５の内壁３５、３６に当接することにより、補強部材４５が、上記見込み方向に振れることが防止され、ひいてはロック部材１１が上記見込み方向に振れることを防止できる。
【００２５】
また、本実施形態では、見付け幅の小さな縦框５でもロック部材１１を強固に取り付け可能としているため、ロック部材１１の箱錠２１の見付け幅に関わらず、縦框の見付け幅を自由に選定できることにより、デザインの選択の余地が増え、意匠性の向上を図ることができる。更に、本実施形態では、框組みの内部に半透明の樹脂パネル８を配置しているため、各框の見付け幅を小さくすることによって、その分樹脂パネルの面積を大きくすることができ、浴室の採光性を高めることができる。
【００２６】
以上、本発明を上記実施の形態に基づいて説明したが、本発明はこれに限定されるものではなく、本発明の要旨を逸脱しない範囲での種々の設計変更等が可能である。例えば、上記実施形態では、本発明を浴室用ドア１００に適用した構成について説明したが、開き戸の戸先にロック部材を設ける構成であれば、室内ドアに適用してもよい。
【００２７】
また、上記実施形態では、見付け幅が一様に小さい縦框５にロック部材１１を取り付ける構成について説明しているが、見付け幅が大きな縦框であっても、ロック部材が取り付けられる部分が切りかかれて、その見付け幅が小さくなっているようなデザインを有する縦框についても本発明を適用することができる。
【図面の簡単な説明】
【００２８】
【図１】本発明の実施の形態である開口部装置の立面図である。
【図２】ドア体及び枠体の部分断面図である。
【図３】取り付け部の上面図である。
【図４】取り付け部の側面図である。
【図５】ロック部材の構成を示した側面図である。
【図６】浴室外側の台座を示した側面図である。
【符号の説明】
【００２９】
１  枠体
２  ドア体（戸体）
５  戸先側縦框
１１  ロック部材
２１  箱錠
２３、２４  レバーハンドル（取っ手）
２５、２６  台座
４５  補強部材
４５Ｂ  挿入部
８１、８２  狭持部
１００  浴室用ドア（開口部装置）
Ｌ１  戸先側縦框の見付け幅
Ｌ２  箱錠の見付け幅
【図１】
2006257825.tif 000003
【図２】
2006257825.tif 000004
【図３】
2006257825.tif 000005
【図４】
2006257825.tif 000006
【図５】
2006257825.tif 000007
【図６】
2006257825.tif 000008